(57)【要約】本発明は骨伝導モジュールを取り付けたキャップ帽子に関し、ユーザの頭に直接接触するボディ部１００と、前記ボディ部１００の正面部に突出形成されたキャップ部２００と、前記ボディ部１００及びキャップ部２００に備えられる骨伝導モジュール３００を含むキャップ帽子であって、前記ボディ部１００には両側に音声信号出力部１１０が備えられ、前記キャップ部２００には、一側に第１溝部２１０が備えられ、他側に第２溝部２２０が備えられ、前記第１溝部２１０には前記骨伝導モジュール３００の無線通信部３１０が挿入され、前記第２溝部２２０には前記骨伝導モジュール３００のバッテリ部３２０が挿入され、前記第１溝部２１０及び第２溝部２２０は前記キャップ部２００の両側に離隔して配置され、前記キャップ部２００の厚さよりも深度を浅く形成される。このような構成によって、骨伝導モジュールがキャップ帽子に取り付けられることにおいて、着用感とキャップ帽子固有のデザイン性を損なわず、又外部から接近する水分を遮断するなど、安全で持続的に使用できる骨伝導モジュールを取り付けたキャップ帽子に関する。
2019510144.tif 000002
【特許請求の範囲】
【請求項１】
ユーザの頭に直接接触するボディ部（１００）と、前記ボディ部（１００）の正面部に突出形成されたキャップ部（２００）と、前記ボディ部（１００）及びキャップ部（２００）に備えられる骨伝導モジュール（３００）を含むキャップ帽子であって、
前記ボディ部（１００）には、両側に音声信号出力部（１１０）が備えられ、
前記キャップ部（２００）には一側に第１溝部（２１０）が備えられ、他側に第２溝部（２２０）が備えられ、前記第１溝部（２１０）には前記骨伝導モジュール（３００）の無線通信部（３１０）が挿入され、前記第２溝部（２２０）には前記骨伝導モジュール（３００）のバッテリ部（３２０）が挿入され、
前記第１溝部（２１０）及び第２溝部（２２０）は、前記キャップ部（２００）の両側に離隔して配置され、前記キャップ部（２００）の厚さよりも深度を浅く形成されることを特徴とする骨伝導モジュールを取り付けたキャップ帽子。
【請求項２】
前記第１溝部（２１０）及び第２溝部（２２０）は、キャップ部（２００）の中心線を基準として対称となるように備えられることを特徴とする、請求項１に記載の骨伝導モジュールを取り付けたキャップ帽子。
【請求項３】
前記第１溝部（２１０）及び第２溝部（２２０）にそれぞれ挿入された無線通信部（３１０）及びバッテリ部（３２０）は、キャップ部（２００）の中心線を基準として重心のバランスが取れるように備えられることを特徴とする、請求項１に記載の骨伝導モジュールを取り付けたキャップ帽子。
【請求項４】
前記第１溝部（２１０）及び第２溝部（２２０）の間には第３溝部（２３０）がさらに備えられ、前記第３溝部（２３０）には、前記骨伝導モジュール（３００）の連結線（３３０）が挿入されることを特徴とする、請求項１に記載の骨伝導モジュールを取り付けたキャップ帽子。
【請求項５】
前記第３溝部（２３０）は、前記キャップ部（２００）の厚さよりも深度を浅く形成されることを特徴とする、請求項４に記載の骨伝導モジュールを取り付けたキャップ帽子。
【請求項６】
前記キャップ部（２００）の下段面には、フィルム（２５０）が向き合って接着されていることを特徴とする、請求項４に記載の骨伝導モジュールを取り付けたキャップ帽子。
【請求項７】
前記第１溝部（２１０）又は第２溝部（２２０）には充電溝（２１１）が連通するように備えられ、前記充電溝（２１１）には、外部電力供給部が接続される充電端子（３１４）が挿入されることを特徴とする、請求項１に記載の骨伝導モジュールを取り付けたキャップ帽子。
【請求項８】
前記第１溝部（２１０）又は第２溝部（２２０）には、スイッチ溝（２１２）が連通するように備えられ、前記スイッチ溝（２１２）には、ユーザの操作に応じて電源をオン又はオフするユーザ入力部（３４０）が挿入されることを特徴とする、請求項１に記載の骨伝導モジュールを取り付けたキャップ帽子。
【請求項９】
前記第１溝部（２１０）又は第２溝部（２２０）にはマイク溝（２２１）が連通するように備えられ、前記マイク溝（２２１）には、音声信号入力部（３５０）が挿入されることを特徴とする、請求項１に記載の骨伝導モジュールを取り付けたキャップ帽子。
【請求項１０】
前記音声信号出力部（１１０）は、シリコン保護部（１２０）に取り囲まれることを特徴とする、請求項１に記載の骨伝導モジュールを取り付けたキャップ帽子。
【発明の詳細な説明】
【技術分野】
【０００１】
本発明は、衣類分野とＩＴ（Ｉｎｆｏｒｍａｔｉｏｎ  Ｔｅｃｈｎｏｌｏｇｙ）分野の融合、いわゆるスマート衣類に関し、具体的に、ユーザが普段着用しているキャップ帽子にユーザの音声信号が伝達され、声を認識できる音声信号伝達モジュールを取り付けたスマート衣類に関する。
【背景技術】
【０００２】
最近、衣類分野においても目覚ましく発展しているＩＴがつながり、ユーザを楽しませたり、又は生活を便利に変化させている。このようにＩＴなどを結合して新しい概念の未来型衣類を称してスマート衣類と呼ぶ。例えば、衣服にデジタルセンサ又は超小型コンピュータチップなどを取り付けて外部刺激を検出して反応できるスマートシャツなどが挙げられる。これは初期には、主に軍事用として開発されたが、今は民間医療用、スポーツ用などで様々に活用されている。
【０００３】
衣類分野とＩＴとの融合が普遍化されつつ、新しくて多様なＩＴ機能にフォーカスされる一方、個別衣類の固有な特性は考慮されていない実状である。伝統的に、衣類分野ではユーザが着用して心地よいことはもちろん、デザインも重要視されている。さらに、個別衣類はそれぞれ固有の実用的かつ装飾的な機能を果たしている。特に、個別衣類のうちの１つであるキャップ帽子は、ユーザにとって寒さ又は暑さから頭を保護するための手段のみならず、いわゆるファッション（Ｆａｓｉｏｎ）を構成する重要なアイテムである。最近、このようなキャップ帽子を個人のアイデンティティを表す１つの手段として見なし、これを普段又は常に着用しているユーザが次第に増加する傾向である。
【０００４】
従来は、このようなキャップ帽子にＩＴの音声信号伝達モジュールの取り付けにおいてもキャップ帽子を普段又は常に着用しているユーザのために音楽聴取、電話送受信などの機能を提供することにのみ焦点が当てられ、相対的にキャップ帽子が有する固有な着用感やデザイン的な価値は軽視されていた。
【０００５】
一方、音声信号伝達モジュールは大きく二種類があり、空気伝導（Ａｉｒ  Ｃｏｎｄｕｃｔｉｏｎ）方式と骨伝導（Ｂｏｎｅ  Ｃｏｎｄｕｃｔｉｏｎ）方式が挙げられる。そのうち、骨伝導モジュールとは、空気のうちの音波が外耳道と鼓膜などを介して内耳に伝達して声として聞こえる方式の空気伝導モジュールとは異なって、音波が頭蓋骨に伝導されて直接内耳に伝わる方式の音声信号伝達モジュールを意味する。
【０００６】
従来には、キャップ帽子に前記空気伝導モジュールが取り付けられた場合、長期間音声信号が伝達されることにより疲れや痛みを誘発する問題があった。又、前記骨伝導モジュールの場合にも、前記骨伝導モジュールが別個に製造されてから従来のキャップ帽子に変更も加えず、外部に露出されるよう無理に組込んだレベルで取り付けられることにより、着用感及びデザイン性が損なわれることはもちろん、ユーザの頭から排出される汗や外部環境による水分に骨伝導モジュールが露出されるなど、安全性に問題があり、持続的に使用しにくい問題もあった。
【０００７】
ここで、本発明の発明者は、キャップ帽子に音声信号伝達モジュールを取り付けることにおいて上記の問題を解決するために力を尽くし、本発明を完成した。
【発明の概要】
【発明が解決しようとする課題】
【０００８】
上記のような問題を解決するために、本発明は、普段ユーザが着用しているキャップ帽子に音声信号を頭蓋骨に直接伝達する方式の音声信号伝達モジュールを実現することにより、長期間音声信号が伝達されても疲れや痛みを誘発しないキャップ帽子を提供することに目的がある。
【０００９】
また、骨伝導モジュールをキャップ帽子に取り付けることにおいて、心地良い着用感を維持しつつ、キャップ帽子固有のデザイン性を損なわない骨伝導モジュールが取り付けられたキャップ帽子を提供することに目的がある。
【００１０】
さらに、取り付けられる骨伝導モジュールにおいても、ユーザの頭から排出される汗や外部環境による水分を遮断するなど、安全でかつ持続的に使用できる骨伝導モジュールが取り付けられたキャップ帽子を提供することに目的がある。
【課題を解決するための手段】
【００１１】
上記のような目的を達成するために、本発明である骨伝導モジュールを取り付けたキャップ帽子は、ユーザの頭に直接接触するボディ部１００と、前記ボディ部１００の正面部に突出形成されたキャップ部２００と、前記ボディ部１００及びキャップ部２００に備えられる骨伝導モジュール３００を含むキャップ帽子であって、前記ボディ部１００には、両側に音声信号出力部１１０が備えられ、前記キャップ部２００には一側に第１溝部２１０が備えられ、他側に第２溝部２２０が備えられ、前記第１溝部２１０には前記骨伝導モジュール３００の無線通信部３１０が挿入され、前記第２溝部２２０には前記骨伝導モジュール３００のバッテリ部３２０が挿入され、前記第１溝部２１０及び第２溝部２２０は、前記キャップ部２００の両側に離隔して配置され、前記キャップ部２００の厚さよりも深度を浅く形成されることを特徴とする。
【００１２】
また、前記第１溝部２１０及び第２溝部２２０は、キャップ部２００の中心線を基準として対称となるように備えられることを特徴とする。
【００１３】
また、前記第１溝部２１０及び第２溝部２２０にそれぞれ挿入された無線通信部３１０及びバッテリ部３２０は、キャップ部２００の中心線を基準として重心のバランスが取れるように備えられることを特徴とする。
【００１４】
また、前記第１溝部２１０及び第２溝部２２０の間には第３溝部２３０がさらに備えられ、前記第３溝部２３０には、前記骨伝導モジュール３００の連結線３３０が挿入されることを特徴とする。
【００１５】
また、前記第３溝部２３０は、前記キャップ部２００の厚さよりも深度を浅く形成されることを特徴とする。
【００１６】
また、前記キャップ部２００の下段面には、フィルム２５０が向き合って接着されていることを特徴とする。
【００１７】
また、前記第１溝部２１０又は第２溝部２２０には充電溝２１１が連通するように備えられ、前記充電溝２１１には、外部電力供給部が接続される充電端子３１４が挿入されることを特徴とする。
【００１８】
また、前記第１溝部２１０又は第２溝部２２０には、スイッチ溝２１２が連通するように備えられ、前記スイッチ溝２１２には、ユーザの操作に応じて電源をオン／オフするユーザ入力部３４０が挿入されることを特徴とする。
【００１９】
また、前記第１溝部２１０又は第２溝部２２０にはマイク溝２２１が連通するように備えられ、前記マイク溝２２１には、音声信号入力部３５０が挿入されることを特徴とする。
【００２０】
また、前記音声信号出力部１１０は、シリコン保護部１２０に取り囲まれることを特徴とする。
【発明の効果】
【００２１】
上記のような解決手段によって、キャップ帽子に音声信号を頭蓋骨に直接伝達する方式の骨伝導モジュールを実現することにより、普段ユーザがキャップ帽子を着用した状態で長期間音声信号が伝達されても疲れや痛みを誘発しない利点がある。
【００２２】
また、骨伝導モジュールがキャップ帽子に取り付けられることにおいて、キャップ帽子の構造及び形状に最適化及び一体化した骨伝導モジュールの設計が実現できることにより、心地良い着用感を維持しつつ、キャップ帽子固有のデザイン性を損なわない利点がある。
【００２３】
また、ユーザの頭から排出される汗や外部環境による水分を遮断し、離脱又は物理的な衝撃を防止して、キャップ帽子に取り付けられた骨伝導モジュールが持続的かつ安全に作動される利点がある。
【図面の簡単な説明】
【００２４】
【図１】本発明である骨伝導モジュールを取り付けたキャップ帽子の一実施形態に係る全体的な外観の形状を示すものである。
【図２】本発明である骨伝導モジュールを取り付けたキャップ帽子の一実施形態に係る内部溝部の形状を示すものである。
【図３】本発明である骨伝導モジュールを取り付けたキャップ帽子の一実施形態に係る内部溝部に骨伝導モジュールが取り付けられた形状を示すものである。
【図４】本発明である骨伝導モジュールを取り付けたキャップ帽子の一実施形態に係るキャップ部の終端面図を示すものである。
【図５】本発明である骨伝導モジュールを取り付けたキャップ帽子の一実施形態に係る制御ブロック図を示すものである。
【図６】本発明である骨伝導モジュールを取り付けたキャップ帽子の一実施形態に係る分解斜視図を示すものである。
【図７】本発明である骨伝導モジュールを取り付けたキャップ帽子の内部溝部に配置される骨伝導モジュールの第１実施形態を示すものである。
【図８】本発明である骨伝導モジュールを取り付けたキャップ帽子の内部溝部に配置される骨伝導モジュールの第２実施形態を示すものである。
【図９】本発明である骨伝導モジュールを取り付けたキャップ帽子の内部溝部に配置される骨伝導モジュールの第３実施形態を示すものである。
【図１０】本発明である骨伝導モジュールを取り付けたキャップ帽子の内部溝部に配置される骨伝導モジュールの第４実施形態を示すものである。
【図１１】本発明である骨伝導モジュールを取り付けたキャップ帽子の内部溝部に配置される骨伝導モジュールの第５実施形態を示すものである。
【発明を実施するための形態】
【００２５】
本発明に係る骨伝導モジュールを取り付けたキャップ帽子についての例は様々な形態に適用されることができる。以下は添付の図面を参照しながら最も好ましい実施形態について説明する。
【００２６】
図１は、本発明である骨伝導モジュールを取り付けたキャップ帽子の一実施形態に係る全体的な外観の形状を示すものであり、図２は、内部溝部の形状を示すものであり、図３は、前記内部溝部に骨伝導モジュールが取り付けられた形状を示すものである。
【００２７】
これらを参照すると、キャップ帽子は、ユーザの頭に直接接触するボディ部１００と、前記ボディ部１００の正面部に突出形成されたキャップ部２００を含む。
【００２８】
ここで、前記ボディ部１００は、ユーザの頭に直接接触する部位が存在すればよい。したがって、本発明で定義するキャップ帽子とは、前記ボディ部１００がユーザの頭全体と接触する、例えば、ベースボールキャップ（Ｂａｓｅｂａｌｌ  Ｃａｐ）又はスポーツキャップ（Ｓｐｏｒｔｓ  Ｃａｐ）形状のキャップ帽子はもちろん、前記ボディ部１００がユーザの頭の一部と接触する、例えば、サンキャップ（Ｓｕｎ  Ｃａｐ）又はバイザー（Ｖｉｓｏｒ）形状のキャップ帽子も含み得る。
【００２９】
また、本発明のキャップ帽子は、前記ボディ部１００及びキャップ部２００に備えられる骨伝導モジュール３００を含む（図３参照）。前記骨伝導モジュール３００は、音声信号出力部１１０、無線通信部３１０、及びバッテリ部３２０などで備えられ、無線で伝達された音声信号をユーザの頭蓋骨に伝導して直接内耳に伝える方式の音声信号伝達モジュールを意味する。
【００３０】
具体的に、前記ボディ部１００には両側に音声信号出力部１１０が備えられ、前記キャップ部２００には一側に第１溝部２１０が備えられ、他側には第２溝部２２０が備えられており、前記第１溝部２１０には前記骨伝導モジュール３００の無線通信部３１０が挿入され、前記第２溝部２２０には前記骨伝導モジュール３００のバッテリ部３２０が挿入される。
【００３１】
前記第１溝部２１０及び第２溝部２２０は、ユーザがキャップ帽子を着用した状態でキャップ部２００の左側（又は、右側）に限定されない。言い換えれば、第１溝部２１０がキャップ部２００の一側である左側に備えられれば、第２溝部２２０は他側である右側に備えられ、第１溝部２１０がキャップ部２００の右側に備えられれば、第２溝部２２０は左側に備えられることを意味する。
【００３２】
図４は、本発明である骨伝導モジュールを取り付けたキャップ帽子の一実施形態に係るキャップ部２００の終端面図を示すものであり、これを参照すれば、前記第１溝部２１０及び第２溝部２２０は前記キャップ部２００の両側に離隔配置され、前記キャップ部２００の厚さよりも深度を浅く形成されることにより、前記骨伝導モジュール３００の構成が全て挿入されながらも同時に前記キャップ部２００の形体が維持される。言い換えれば、キャップ帽子の構造及び形状に最適化及び一体化した骨伝導モジュールが設計される。
【００３３】
好ましくは、前記第１溝部２１０及び第２溝部２２０は、キャップ部２００の中心線を基準として対称となるように備えられて、又は、前記第１溝部２１０及び第２溝部２２０にそれぞれ挿入された無線通信部３１０及びバッテリ部３２０は、キャップ部２００の中心線を基準として重心のバランスが取れるように備えられる。
【００３４】
これにより、通常のイヤホンなどのような空気伝導モジュールに比べて疲労度を著しく減少させ、さらに痛みを誘発しない音声信号伝達モジュールを採択すると同時に、このような骨伝導モジュール３００がキャップ帽子のキャップ部２００に完全に挿入されるよう取り付けられることにより、着用感を損なわない利点とデザイン的な異質感を引き起こさない利点とがある（図１参照）。
【００３５】
図２を参照して前記キャップ部２００の内部溝部を具体的に説明する。
【００３６】
これによれば、前記第１溝部２１０及び第２溝部２２０の間には第３溝部２３０がさらに備えられ、前記第３溝部２３０には、前記骨伝導モジュール３００の連結線３３０が挿入される。
【００３７】
前記連結線３３０は、前記無線通信部３１０及びバッテリ部３２０の間に電気的な信号を伝達する手段を含む。ここで、前記連結線３３０は、少なくとも２つ以上の被覆された電線から構成されることができる。前記連結線３３０が前記キャップ部２００に全て挿入されると同時に前記キャップ部２００の形体が維持されるように、前記第３溝部２３０は、前記キャップ部２００の厚さよりも深度を浅く形成されることが好ましい。
【００３８】
また、前記第１溝部２１０又は第２溝部２２０には充電溝２１１が連通するように備えられ、前記充電溝２１１には外部電力供給部が接続される充電端子３１４が挿入される。
【００３９】
また、前記第１溝部２１０又は第２溝部２２０にはスイッチ溝２１２が連通するように備えられ、前記スイッチ溝２１２には、ユーザの操作に応じて電源をオン又はオフするユーザ入力部３４０が挿入されてもよい。
【００４０】
また、前記第１溝部２１０又は第２溝部２２０にはマイク溝２２１が連通するように備えられ、前記マイク溝２２１には音声信号入力部３５０が挿入される。
【００４１】
一方、前記充電溝２１１又はスイッチ溝２１２は、外部と連通するように備えられているため、前記充電溝２１１又はスイッチ溝２１２にそれぞれ挿入される充電端子３１４又はユーザ入力部３４０の一部のみが露出されるため、キャップ帽子の全体的なデザイン性は維持できる（図１参照）。
【００４２】
また、前記第１溝部２１０及び第２溝部２２０には、電線溝２４０が連通するように備えられ、前記ボディ部１００の両側に備えられる音声信号出力部１１０と接続されるように連結線３３０が挿入される。
【００４３】
一実施形態において、前記充電溝２１１及びスイッチ溝２１２は、前記無線通信部３１０が挿入される第１溝部２１０とそれぞれ連通するように備えられ、前記無線通信部３１０と隣接するように充電端子３１４及びユーザ入力部３４０が前記キャップ部２００の一側に挿入されており、前記マイク溝２２１は、前記バッテリ部３２０が挿入される第２溝部２２０と連通するように備えられ、前記バッテリ部３２０と隣接するよう音声信号入力部３５０が前記キャップ部２００の他側に挿入される。このような配置は、ユーザが本発明のキャップ帽子を着用した状態でキャップ部２００の中心線を基準として対称となるように備えられて、又は重心のバランスが取れるように備えられて、着用感を損なわない範囲内で変形可能であることはもちろんである。
【００４４】
その結果、前記キャップ部２００の内部溝部によって前記骨伝導モジュール３００は、キャップ帽子の固有な形状及び構造に合わせて挿入及び一体化されるため、キャップ帽子のデザイナーの最初デザインの意図を損なわず、前記骨伝導モジュール３００の機能を持続的でかつ安全に果たすことができる。
【００４５】
図５は、本発明である骨伝導モジュールを取り付けたキャップ帽子の一実施形態に係る制御ブロック図を示すものである。これを参照して、受信した音声信号をユーザの頭蓋骨に伝導して直接内耳に伝える骨伝導モジュール３００及び音声信号出力部１１０に対して具体的に説明する。
【００４６】
前記音声信号出力部１１０は、音波がユーザの頭蓋骨に直接伝導するように骨伝導スピーカで構成されることが好ましい。前記骨伝導スピーカは、例えば、コイルがケースに固定された状態で磁気回路が弾発体によってケースの一側で振動しながら、ユーザの頭蓋骨に伝導されるように構成されており、全体的に平たい円柱形に形成されてもよい。
【００４７】
また、ユーザが体感する骨伝導の振動力を最大化するため、前記音声信号出力部１１０の一側には骨伝導スピーカが少なくとも２つ以上構成されてもよい。また、前記音声信号出力部１１０は、シリコン保護部によって取り囲まれて着用感が向上される。さらにユーザの頭から排出される汗や外部環境による水分が遮断され、前記音声信号出力部１１０を含む前記骨伝導モジュール３００が持続的かつ安全に作動できる。
【００４８】
好ましくは、前記シリコン保護部は、前記骨伝導スピーカが少なくとも２つ以上挿入されるようにスピーカの挿入溝が形成され、前記骨伝導スピーカと電気的に接続される連結線３３０が挟まれるように接続溝が形成されてもよい。
【００４９】
一方、前記無線通信部３１０は、信号処理部３１１及び無線送受信モジュール３１２から構成される。前記信号処理部３１１は、ノイズ除去のためのフィルタ部３１１ａ及び送受信した音声信号の増幅のための増幅部３１１ｂから構成される。
【００５０】
前記無線送受信モジュール３１２は、外部端末４００であるスマートフォンなどと無線で音声信号などを送受信できるブルートゥース（登録商標）（Ｂｌｕｅｔｏｏｔｈ（登録商標））などで構成されてもよい。
【００５１】
前記無線通信部３１０は、電源部３１３を含んでもよい。前記電源部３１３は、外部電力供給部と接続してバッテリ部３２０が充電されるように、充電端子３１４及び保護回路３１５が備えられる。前記電源部３１３は、必要時に無線で外部電力供給部と接続され、バッテリ部３２０が充電されるように備えられており、この場合に前記充電端子３１４及び前記充電端子３１４が挿入される充電溝２１１は欠如されてもよい。
【００５２】
前記無線通信部３１０は１つの回路基板（ＰＣＢ）に集積され、必要に応じて一部の構成を分離できることはもちろんである。例えば、前記電源部３１３は、前記無線通信部３１０と電気的に接続され、前記無線通信部３１０が集積された回路基板とは離隔して備えられてもよい。
【００５３】
前記バッテリ部３２０は、２次電池であるリチウムイオン電池などで構成されてもよく、前記電源部３１３から外部電力が供給されて充電されてもよい。
【００５４】
前記ユーザ入力部３４０は、ユーザが指などで簡単に操作できるスイッチで構成され、前記スイッチは、電源のオンオフ（Ｏｎ−Ｏｆｆ）、電話受信及びボリューム（Ｖｏｌｕｍｎ）のアップダウン（Ｕｐ−Ｄｏｗｎ）機能を提供し得る。
【００５５】
前記音声信号入力部３５０は、ユーザが発生させた音声を音声信号に変換させるマイクで構成されてもよい。
【００５６】
図６は、本発明である骨伝導モジュールを取り付けたキャップ帽子の一実施形態に係る分解斜視図を示すものである。
【００５７】
これを参照すると、前記キャップ部２００の下段面にはフィルム２５０が向き合って接着されることにより、前記キャップ部２００の内部溝部に挿入された骨伝導モジュール３００の離脱又は物理的な衝撃を防止し、前記キャップ部２００の形体が維持されるように応力を補完できる。具体的に、前記キャップ部２００には、両側に備えられる第１溝部２１０及び第２溝部２２０と接続されるように第３溝部２３０が備えられ、特に、前記第３溝部２３０によって発生する応力弱化を効率よく補うことができる。好ましくは、前記フィルム２５０は、このような応力弱化を補完するために一定の強度を有するＰＣ（Ｐｏｌｙｃａｒｂｏｎａｔｅ）で構成されてもよい。
【００５８】
また、前記フィルム２５０は、前記キャップ部２００に向き合った状態で上下において仕上げ部２６０により取り囲まれるように備えられる。前記仕上げ部２６０は、キャップ帽子を構成している全体の織物と同じ材質で構成されてもよい。
【００５９】
これにより、前記キャップ部２００の下段面が滑らかなその形体が維持され、前記キャップ部２００固有のデザイン性を損なわない。
【００６０】
以下、図７ないし図１１を参照して、前記第１溝部２１０及び第２溝部２２０において前記骨伝導モジュール３００が挿入及び配置される様々な実施形態について説明する。
【００６１】
図７は、これに係る第１実施形態を示すものであり、これを参照すれば、前記第１溝部２１０には無線通信部３１０が挿入され、前記第２溝部２２０にはバッテリ部３２０が挿入される。ここで、ユーザは、キャップ帽子を着用した状態で受信された音声信号を連続的に認識できる。
【００６２】
図８は、これに係る第２実施形態を示すものであり、これを参照すれば、前記第１溝部２１０には無線通信部３１０及びユーザ入力部３４０が挿入され、前記第２溝部２２０にはバッテリ部３２０が挿入される。ここで、ユーザは、前記ユーザ入力部３４０を操作して骨伝導モジュール３００を制御でき、例えば、受信された音声信号である音楽のボリューム（Ｖｏｌｕｍｎ）をダウンさせてもよい。
【００６３】
図９は、これに係る第３実施形態を示すものであり、これを参照すれば、前記第１溝部２１０には無線通信部３１０及びユーザ入力部３４０が挿入され、前記第２溝部２２０にはバッテリ部３２０及び音声信号入力部３５０が挿入される。前記音声信号入力部３５０を介してユーザの音声を入力でき、ユーザは、無線通信部３１０及び外部端末４００を用いて他のユーザと電話通話できる。
【００６４】
図１０は、これに係る第４実施形態を示すものであり、これを参照すれば、前記第１溝部２１０には無線通信部３１０、ユーザ入力部３４０、及び音声信号入力部３５０が挿入され、前記第２溝部２２０にはバッテリ部３２０及び電源部３１３が挿入される。前記電源部３１３が有線充電方式である場合、外部電力供給部は、第２溝部２２０と連通するよう備えられた充電溝２１１に挿入された充電端子３１４に連結され、スイッチ及びマイクは、第１溝部２１０とそれぞれ連通するように備えられたスイッチ溝２１２及びマイク溝２２１に挿入される。
【００６５】
図１１は、これに係る第５実施形態を示すものであり、これを参照すれば、前記第１溝部２１０には無線通信部３１０、ユーザ入力部３４０、及び音声信号入力部３５０が挿入され、前記第２溝部２２０にはバッテリ部３２０が挿入される。前記第１溝部２１０に挿入された前記無線通信部３１０は、信号処理部３１１、無線送受信モジュール３１２、及び電源部３１３が１つの回路基板（ＰＣＢ）に集積されるよう構成される。
【００６６】
このような実施形態を含み、前記第１溝部２１０及び第２溝部２２０に挿入される骨伝導モジュール３００の配置は、ユーザが本発明であるキャップ帽子を着用した状態でキャップ部２００の中心線を基準として対称となるように備えられて、又は重心のバランスが取れるように備えられることにより、着用感を損なわない範囲内で変形可能である。
【００６７】
これによって、キャップ帽子に音声、音楽などの音声信号を頭蓋骨に直接伝達する方式の骨伝導モジュールが実現されることにより、普段ユーザがキャップ帽子を着用した状態で長期間音声信号が伝達されても疲れや痛みを誘発しない効果がある。又、骨伝導モジュールがキャップ帽子に取り付けられる際にキャップ帽子の構造及び形状に最適化及び一体化した骨伝導モジュールの設計を実現することにより、着用感の低下を防止し、キャップ帽子固有のデザイン性を全く損なわない効果がある。さらに、取り付けられる骨伝導モジュールにユーザの頭から排出される汗や外部環境による水分の接近を遮断し、骨伝導モジュールの離脱又は骨伝導モジュールに加えられる物理的な衝撃を防止することにより、キャップ帽子に取り付けられた骨伝導モジュールが持続的かつ安全に作動できる効果がある。
【００６８】
以上、本発明に係る骨伝導モジュールを取り付けたキャップ帽子について説明した。このような本発明の技術的な構成は、本発明が属する技術分野の当業者が本発明のその技術的な思想や必須特徴を変更しなくても異なる具体的な形態に実施され得ることが理解できるだろう。
【００６９】
したがって、以上で記述した実施形態は全ての面で例示的なものであり、限定的なものではないことを理解されなければならない。
【図１】
2019510144.tif 000003
【図２】
2019510144.tif 000004
【図３】
2019510144.tif 000005
【図４】
2019510144.tif 000006
【図５】
2019510144.tif 000007
【図６】
2019510144.tif 000008
【図７】
2019510144.tif 000009
【図８】
2019510144.tif 000010
【図９】
2019510144.tif 000011
【図１０】
2019510144.tif 000012
【図１１】
2019510144.tif 000013
【国際調査報告】
2019510144.tif 000014
2019510144.tif 000015
2019510144.tif 000016
2019510144.tif 000017